(57)【要約】      （修正有）【課題】殺菌乾燥機能を有する歯ブラシ収納ケースを提供する。【解決手段】ケース体内側の下端部の両側に、一組の滑りレールを設け、滑りレール上に滑りベースプレートを取り付け、滑りベースプレートに収納台を組み付け、ケースドアを開閉するときに接続素子２１を介して、滑りベースプレートと収納台とを同時に引き出して、歯ブラシまたはカミソリの取り出しと収納を達成する。ケース体内部の一側には、制御回路で制御される温風ユニット５１を設け、温風ユニットは加熱素子とファンとを含み、ケース体内部には歯ブラシと同じ高さに、紫外線殺菌灯５２を設け、ケース体内部の制御回路の上方にはオゾン発生機５３を設ける。ケースドアを閉め、側面のプッシュスイッチ７を手で押圧すると、制御回路が作動し、温風ユニットから内部循環の温風が吹き出すと同時に、紫外線殺菌灯が点灯、またはオゾン発生機が起動し、歯ブラシまたはカミソリの乾燥と殺菌が行われる。【選択図】図１
0003205766.tif 000002
【実用新案登録請求の範囲】
【請求項１】
殺菌乾燥機能を有する歯ブラシ収納ケースであって、
前記ケース体内側の下端部の両側に、一組の釣り合った滑りレールを設けられ、前記滑りレール上に滑りベースプレートを取り付けていて、連結具によって、ケースドアに接続され、前記滑りベースプレートに複数の孔を開けて、前記歯ブラシまたはカミソリを挿す収納台を組み付けられ、前記ケースドアを開閉するときに前記連結具を介して、前記滑りベースプレートと前記収納台とを同時に引き出して、前記ケース体より滑り出すかまたは前記ケース体に滑り込むことができ、前記歯ブラシまたは前記カミソリの取り出しと収納の目的を達成され、さらに、前記ケース体内部の一側には、制御回路によって制御される温風ユニットを設けられ、前記温風ユニットは、加熱素子と、ファンとを含む、前記ケース体内部が前記歯ブラシと同じ高さ位置に、紫外線殺菌灯をさらに設け、前記ケース体内部の前記制御回路の上方位置には同じく前記制御回路によって制御されるオゾン発生機を設けることによって、前記ケースドアを閉めた後に、側面に設けられたプッシュスイッチを手で押圧すると、前記制御回路が作動し、前記温風ユニットの加熱素子と、ファンから内部循環の温風が吹き出すと同時に、前記紫外線殺菌灯を点灯させるか、または前記オゾン発生機を起動してオゾンを発生させ、温風をもって前記歯ブラシまたは前記カミソリを乾燥すると共に、前記紫外線殺菌灯または前記オゾン発生機が発生するオゾンによって、殺菌が行われ、
前記構成によって、前記ケースドアを閉めた後に、側面に設けられたプッシュスイッチを手で押圧すると、前記制御回路が作動し、前記熱風ユニットを起動させ、前記熱風ユニットから内部循環の温風が吹き出すと同時に、前記紫外線殺菌灯を点灯させ、温風をもって前記歯ブラシまたは前記カミソリを乾燥すると共に、前記紫外線殺菌灯または前記オゾン発生機が発生するオゾンによって、殺菌を行うことを特徴とする、殺菌乾燥機能を有する歯ブラシ収納ケース。
【請求項２】
前記ケース体内部の前記制御回路の上方位置は、前記制御回路によって制御されるオゾン発生機をさらに設け、ケースドアを閉めた後に、手で前記プッシュスイッチを押圧すると、前記オゾン発生機を起動してオゾンを発生させ、発生するオゾンによって、前記歯ブラシ収納ケースを殺菌させ、前記制御回路は、前記オゾン発生機を起動した後、所定の時間を経過すると、前記オゾン発生機を自動にオフすることを特徴とする、請求項１記載の殺菌乾燥機能を有する歯ブラシ収納ケース。
【請求項３】
前記収納台は、上部棚板と、下部棚板と、前記上部、下部棚板の中央部を穿設する主支柱とを含む、前記上部棚板は間隔置きに前記歯ブラシまたは前記カミソリ等を通す複数の孔を開けられ、前記下部棚板は、前記上部棚板の前記複数の孔に対応する凹み孔を開けていて、前記歯ブラシの下端部を前記凹み孔に挿すことによって固定して置き、前記主支柱の下端部を前記滑りベースプレートの前記孔に通すことによって、前記収納台を旋回または取り外して交換できることを特徴とする、請求項１記載の殺菌乾燥機能を有する歯ブラシ収納ケース。
【請求項４】
前記温風ユニットは、加熱素子と、ファンを有し、その上方に空気入口と、空気出口を設けることを特徴とする、請求項１記載の殺菌乾燥機能を有する歯ブラシ収納ケース。
【請求項５】
前記制御回路によって、前記温風ユニットと、前記紫外線殺菌灯を起動させた後、所定の時間を経過すると、前記温風ユニットと、前記紫外線殺菌灯をオフすることを特徴とする、請求項１記載の殺菌乾燥機能を有する歯ブラシ収納ケース。
【請求項６】
前記プッシュスイッチの内部または前記ケース体は、一つまたは２つの前記温風ユニットと、前記紫外線殺菌灯の稼動状態を示すための指示灯をさらに設けられていることを特徴とする、請求項１記載の殺菌乾燥機能を有する歯ブラシ収納ケース。
【請求項７】
前記ケース体の正面は、前記紫外線殺菌灯の起動を制御するための前記プッシュスイッチ７を新たに設けており、前記ケースドアを閉めた後、前記プッシュスイッチを押圧し、前記制御回路を起動させ、前記紫外線殺菌灯を点灯して殺菌させ、さらに、前記制御回路５によって、前記紫外線殺菌灯によって点灯させた後は、所定の時間を経過すると、前記紫外線殺菌灯を自動に消灯されることを特徴とする、請求項１記載の殺菌乾燥機能を有する歯ブラシ収納ケース。
【請求項８】
殺菌乾燥機能を有する歯ブラシ収納ケースであって、
前記ケース体内側の下端部の両側に、一組の釣り合った滑りレールを設けられ、前記滑りレール上に滑りベースプレートを取り付けていて、連結具によって、ケースドアに接続され、前記滑りベースプレートに、前記歯ブラシまたはカミソリを挿し、かつ取り外し及び旋回自在な収納台を組み付けられ、前記ケースドアを開閉するときに前記連結具を介して、前記滑りベースプレートと前記収納台とを同時に引き出して、前記ケース体より滑り出すかまたは前記ケース体に滑り込むことができ、前記歯ブラシまたは前記カミソリの取り出しと収納の目的を達成され、さらに、前記収納台は、上部棚板と、下部棚板と、前記上部、下部棚板の中央部を穿設する主支柱とを含む、前記上部棚板は間隔置きに前記歯ブラシまたは前記カミソリ等を通す複数の孔を開けられ、前記下部棚板は、前記上部棚板の前記複数の孔に対応する凹み孔を開けていて、前記歯ブラシの下端部を前記凹み孔に挿すことによって固定して置き、前記主支柱の下端部を前記滑りベースプレートの前記孔に通すことによって、前記収納台を旋回または取り外して交換でき、前記下部棚板の外縁部にギヤを設け、さらに前記下部棚板を回動させて、前記収納台を回動させるモーターを内設し、前記モーターの回転軸にギヤを設けて、前記下部棚板外縁部の前記ギヤを連動し、前記ケース体内部の一側に、制御回路によって制御する温風ユニットを設けるとともに、前記ケース体内部に前記歯ブラシまたは前記カミソリと同じ高さ位置に、同じく前記回路制御によって制御される紫外線殺菌灯を新たに設け、かつ前記ケース体の内部にプッシュスイッチを設け、前記ケース体の後ろ側にトランスの電源ソケットを挿す電源ソケットを設けて、前記制御回路と、温風ユニットと、紫外線殺菌灯に電気を供給し、
前記構成によって、前記ケースドアを閉めた後に、側面に設けられたプッシュスイッチを手で押圧すると、前記制御回路が作動し、前記熱風ユニットを起動させ、前記熱風ユニットから内部循環の温風が吹き出すと同時に、前記紫外線殺菌灯を点灯させ、温風をもって前記歯ブラシまたは前記カミソリを乾燥すると共に、前記紫外線殺菌灯によって殺菌を行い、さらに、モーターを起動し、前記ギヤによって前記下部棚板を連動回動させて、前記収納台ごとに回動させ、前記収納台にあるすべての前記歯ブラシまたは前記カミソリを乾燥及び殺菌効果をもたらすことを特徴とする、殺菌乾燥機能を有する歯ブラシ収納ケース。
【請求項９】
前記モーターは、前記滑りベースプレートを固定する外部ケーシングの内部に覆われていることを特徴とする、請求項８記載の殺菌乾燥機能を有する歯ブラシ収納ケース。
【請求項１０】
前記制御回路によって、前記温風ユニットと、と紫外線殺菌灯と、前記モーターを起動した後、所定の時間を経過すると、前記温風ユニットと、前記紫外線殺菌灯と、前記モーターをオフされことを特徴とする、請求項８記載の殺菌乾燥機能を有する歯ブラシ収納ケース。
【考案の詳細な説明】
【技術分野】
【０００１】
本考案は、殺菌乾燥機能を有する歯ブラシ収納ケースに関し、特にケース体内の底部に、滑りベースプレートを取り付けていて、連結具によって、ケースドアに接続され、滑りベースプレートに、歯ブラシまたはカミソリを挿す収納台を組み付けられ、ケースドアを開閉するときに連結具を介して、滑りベースプレートと収納台とを同時に引き出して、ケース体より滑り出すかまたはケース体に滑り込む、歯ブラシまたはカミソリの取り出しと収納に便利の目的を達成する。さらに、ケース体内部の一側には、制御回路によって制御される温風ユニットを設けられ、ケース体内部が歯ブラシと同じ高さ位置に、紫外線殺菌灯をさらに設け、ケース体内部の制御回路の上方位置には同じく制御回路によって制御されるオゾン発生機を設けることによって、ケースドアを閉めた後に、側面に設けられた押圧スイッチを手で押圧すると、制御回路が作動し、温風ユニットの加熱素子と、ファンから内部循環の温風が吹き出すと同時に、紫外線殺菌灯を点灯させるか、またはオゾン発生機を起動してオゾンを発生させ、温風をもって歯ブラシまたはカミソリを乾燥すると共に、紫外線殺菌灯またはオゾン発生機が発生するオゾンによって、殺菌を行う歯ブラシ収納ケースに関する。
【背景技術】
【０００２】
一般の歯ブラシは、使用を終えて清掃した後には湿った状態であり、そのままに放置し乾燥させないと、湿気によってバイ菌を形成する恐れがある。よって、歯ブラシの乾燥または殺菌するための装置は市販されているが、しかし、現在の歯ブラシ乾燥または殺菌装置のすべては、単一機能である。そのため、消費者はお金をもっと投資しないと、全部を揃うことは出来ない。経済的負担が掛かるほかに、使用の面も便利と言えない。さらに、一般の歯ブラシ乾燥または殺菌装置は、歯ブラシの取り出しと収納に関する設計は良くなく、消費者が歯ブラシの取り出しと収納するときに不便を感じさせる。
【考案の概要】
【考案が解決しようとする課題】
【０００３】
本考案の主な目的は、ケースドアを開閉するときに、連結具が滑りベースプレートと、収納台を同時にケース体より引き出すか、またはケース体に滑り込むことができ、歯ブラシまたはカミソリの取り出しと収納をより便利に行えることができる。
【０００４】
本考案の次の目的は、ケース体内部の一側に、制御回路によって制御する温風ユニットを設けられ、温風をもって、歯ブラシまたはカミソリを乾燥させ、バイ菌の形成を防げる。
【０００５】
本考案のさらに一つの目的は、ケース体内部で歯ブラシと同じ高さ位置に、紫外線殺菌灯をさらに設け、紫外線殺菌灯をもって、徹底に殺菌させることができる。
【課題を解決するための手段】
【０００６】
上記目的を達成するために、本考案の殺菌乾燥機能を有する歯ブラシ収納ケースは、主にケース体内側の下端部の両側に、一組の釣り合った滑りレールを設けられ、滑りレール上に滑りベースプレートを取り付けていて、連結具によって、ケースドアに接続され、滑りベースプレートに複数の孔を開けて、歯ブラシまたはカミソリを挿す収納台を組み付けられ、ケースドアを開閉するときに連結具を介して、滑りベースプレートと収納台とを同時に引き出して、ケース体より滑り出すかまたはケース体に滑り込む、歯ブラシまたはカミソリの取り出しと収納の目的を達成する。さらに、ケース体内部の一側には、制御回路によって制御される温風ユニットを設けられ、温風ユニットは、加熱素子と、ファンとを含む、ケース体内部が歯ブラシと同じ高さ位置に、紫外線殺菌灯をさらに設け、ケース体内部の制御回路の上方位置には同じく制御回路によって制御されるオゾン発生機を設けることによって、ケースドアを閉めた後に、側面に設けられた押圧スイッチを手で押圧すると、制御回路が作動し、温風ユニットの加熱素子と、ファンから内部循環の温風が吹き出すと同時に、紫外線殺菌灯を点灯させるか、またはオゾン発生機を起動してオゾンを発生させ、温風をもって歯ブラシまたはカミソリを乾燥すると共に、紫外線殺菌灯またはオゾン発生機が発生するオゾンによって、殺菌が行われる。
【考案の効果】
【０００７】
本考案は、ケースドアを開閉するときに、連結具が滑りベースプレートと、収納台を同時にケース体より引き出すか、またはケース体に滑り込むことができ、歯ブラシまたはカミソリの取り出しと収納をより便利に行えることができる。温風をもって、歯ブラシまたはカミソリを乾燥させ、バイ菌の形成を防げる。紫外線殺菌灯をもって、徹底に殺菌させることができる。
【図面の簡単な説明】
【０００８】
【図１】本考案の一つの好ましい実施例において、ケースドアが開放状態の立体図である。
【図２】本考案において、収納台と、滑りベースプレートとを取り外した立体分解図である。
【図３】本考案の側視断面図である。
【図４】本考案において、ケースドアを開放した状態の内部断面図である。
【図５】本考案の正面断面図である。
【図６】本考案が下部棚板の外縁部の内面にモーターを設け、下部棚板を連動して、収納台全体を回動させるもう一つの実施例を示す図である。
【考案を実施するための形態】
【０００９】
本考案の技術内容、構造特徴、達成する目的を詳細に説明するため、以下に実施例を挙げ並びに図面を組み合わせて説明する。
【００１０】
図１〜図４に示すように、本考案より提供する殺菌乾燥機能を有する歯ブラシ収納ケースは、主にケース体１内側の下端部の両側に、一組の釣り合った滑りレール１２を設けられ、滑りレール１２上に滑りベースプレート２を取り付けていて、接続素子２１によって、ケースドア１１に接続され、滑りベースプレート２に歯ブラシ３またはカミソリ４を挿す収納台２２を組み付けられ、係る収納台２２は上部棚板２２１と、下部棚板２２２と、上部、下部棚板２２１、２２２の中央部を穿設する主支柱２２３と、を含む、上部棚板２２１は間隔置きに、歯ブラシ３またはカミソリ４等を挿す複数の孔２２１１を設けていて、下部棚板２２２には上部棚板２２１の複数の孔２２１１と対応する凹み孔２２２１を設け、歯ブラシ３の下端部を凹み孔２２２１に挿して固定して置き、主支柱２２３の下端部２２３１を滑りベースプレート２の孔２３に穿設することによって、収納台２２を取り出しまたは交換できる。
【００１１】
ケースドア１１を開閉するときに、接続素子２１の滑りベースプレート２と、収納台２２とを同時にケース体１より引き出すかまたはケース体１に押し込むことができ、歯ブラシ３またはカミソリ４の取り出しまたは収納に便利する目的を達成できる。
【００１２】
さらに、ケース体１内部の一側に、制御回路５によって制御される温風ユニット５１を設け、温風ユニット５１は、加熱素子５１１と、ファン５１２とを含む、その上方に空気入口５１３と、空気出口５１４を設けられている。図５に示すように、ケース体１内部に歯ブラシ３またはカミソリ４と同じ高さの位置に、同じく制御回路５によって制御される紫外線殺菌灯５２をさらに設け、ケース体１内部の制御回路５の上方位置も、制御回路５によって制御されるオゾン発生機５３を設け、ケース体１の側面に設けられた押圧スイッチ７によって、ケースドア１１を閉めた後に、手で係る押圧スイッチ７を押圧して、制御回路５を起動させ、温風ユニット５１の加熱素子５１１と、ファン５１２内部循環の温風を吹き出すと同時に、紫外線殺菌灯５２を点灯させるか、またはオゾン発生機５３にオゾンを発生させ、温風をもって、歯ブラシ３またはカミソリ４を乾燥させる。
さらに、紫外線殺菌灯５２またはオゾン発生機５３より発生するオゾンをもって、殺菌される。
さらに、ケース体１の後ろ側にトランス６の電源プラグを挿すための電源ソケット６１を設けて、電気を制御回路５と、温風ユニット５１と、紫外線殺菌灯５２またはオゾン発生機５３に供給させる。ケース体１の後ろ側に、壁掛け用のつるし孔１３を設けられている。
【００１３】
そのうち、ケース体１の正面は、紫外線殺菌灯５２の起動を制御するための押圧スイッチ７１を新たに設けており、ケースドア１１を閉めるときに、係る押圧スイッチ７１を押圧し、制御回路５を起動させ、紫外線殺菌灯５２を点灯して殺菌させる。
さらに、制御回路５によって、紫外線殺菌灯５２を点灯させた後は、所定の時間を経過すると、紫外線殺菌灯５２を自動に消灯される。
【００１４】
そのうち、係る制御回路５によって、温風ユニット５１と、紫外線殺菌灯５２を起動させた後、設定した時間を経過すると、温風ユニット５１と、紫外線殺菌灯５２が自動にオフされる。
さらに、押圧スイッチ７１の内部またはケース体１は、一つまたは２つの温風ユニット５１と、紫外線殺菌灯５２の稼働状況を表示する指示灯８を設けられている。
【００１５】
このほか、本考案は例えば、下部棚板２２２の外縁部にギヤ２２２２を設け、その一側にモーター９１を設け、係るモーター９１を滑りベースプレート２に固定されている外部ケーシング９の内部に覆われている。
ケースドア１１を開閉するときに、手で係る押圧スイッチ７を押圧すると、制御回路５によって、モーター９１を起動させ、図６に示すように、上部ギヤ９２が下部棚板２２２を連動して回動し、収納台２２全体を回動させ、収納台２２のすべての歯ブラシ３またはカミソリ４の乾燥及び殺菌効果が達成される。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１７】
１            ケース体
１１            ケースドア
１２            滑りレール
１３            つるし孔
２            滑りベースプレート
２１            接続素子
２２            収納台
２２１            上部棚板
２２１１、２３        孔
２２２            下部棚板
２２２１          凹み孔
２２２２、９２        ギヤ
２２３            主支柱
２２３１          下端部
３            歯ブラシ
４            カミソリ
５            制御回路
５１            温風ユニット
５１１            加熱素子
５１２            ファン
５１３            空気入口
５１４            空気出口
５２            紫外線殺菌灯
５３            オゾン発生機
６            トランス
６１            電源ソケット
７、７１          押圧スイッチ
８            指示灯
９            外部ケーシング
９１            モーター
【図１】
0003205766.tif 000003
【図２】
0003205766.tif 000004
【図３】
0003205766.tif 000005
【図４】
0003205766.tif 000006
【図５】
0003205766.tif 000007
【図６】
0003205766.tif 000008